(57)【要約】【課題】ステージに簡単に取り付けることができるダミー体を提供する。【解決手段】ダミー体２は、自動販売機のステージ１上に載せられる本体部３と、本体部３の底壁３ａから突出してステージ１の取付孔１ａに挿入される前側および後側突底部４ａ、４ｂとを有する。そして、前側突底部４ａには、前方へ突出して取付孔１ａの周縁部の前側裏面１ｃに係合する前側係合部４ｃが設けられ、後側突底部４ｂには、後方へ突出して取付孔１ａの周縁部の後側裏面１ｄに係合する後側係合部４ｄが設けられる。ここで、後側係合部４ｄは、突出寸法Ｋ２が、前側係合部４ｃの突出寸法Ｋ１よりも、小となるように形成されている。そこで、ダミー体２を取付孔１ａに取り付けるには、ダミー体２を前方に傾斜させて、前側係合部４ｃを前側裏面１ｃに係合させる。そして、ダミー体２を起こすようにしてステージ１側に押圧することで、後側係合部４ｄを後側裏面１ｄに係合させる。【選択図】  図６
2012048680.tif 000002
【特許請求の範囲】
【請求項１】
自動販売機のステージに配備される、商品の容器または包装を模したダミー体であって、
前記ステージ上に載せられる本体部と、
前記本体部の底壁から下方に突出して前記ステージの取付孔に挿入される突底とを備え、
前記突底は、前記取付孔の前側に挿入される前側突底部と、前記取付孔の後側に挿入される後側突底部とを有し、
前記前側突底部には、前方へ突出して前記取付孔の周縁部の前側裏面に係合する前側係合部が設けられ、前記後側突底部には、後方へ突出して前記取付孔の周縁部の後側裏面に係合する後側係合部が設けられ、
前記後側係合部は、前記後側突底部における前記取付孔の内周面と対向する後側対向面からの、後方への突出寸法が、前記前側係合部の、前記前側突底部における前記取付孔の内周面と対向する前側対向面からの、前方への突出寸法よりも、小となるように形成されており、
前記ダミー体は、前記取付孔への取り付けにあたって、前方に傾斜した状態で、前記前側突底部が前記取付孔に挿入されて前記前側係合部が前記前側裏面に係合し、前記ダミー体が前方に傾斜した状態から起こされるようにして前記ステージ側に押圧されることで、前記後側突底部を含めて前記突底全体が前記取付孔に挿入されて前記後側係合部が前記後側裏面に係合可能となっていることを特徴とする、ダミー体。
【請求項２】
前記後側係合部は、前記取付孔の内周面に沿う周方向寸法が、前記前側係合部の、前記取付孔の内周面に沿う周方向寸法よりも小となるように形成されていることを特徴とする、請求項１に記載のダミー体。
【請求項３】
前記前側係合部と前記底壁との間の寸法は、前記後側係合部と前記底壁との間の寸法よりも大となっていることを特徴とする、請求項１または２に記載のダミー体。
【請求項４】
前記後側係合部は、縦断面において、前記後側対向面側の基端における接線が、前記後側対向面に対して鈍角となる方向を向くように形成されていることを特徴とする、請求項１ないし３のいずれか１項に記載のダミー体。
【請求項５】
自動販売機のステージに配備される、商品の容器または包装を模したダミー体であって、
前記ステージ上に載せられる本体部と、
前記本体部の底壁から下方に突出して前記ステージの取付孔に挿入される突底とを備え、
前記突底は、前記取付孔の前側に挿入される前側突底部と、前記取付孔の後側に挿入される後側突底部とを有し、
前記前側突底部には、前方へ突出して前記取付孔の周縁部の前側裏面に係合する前側係合部が設けられ、前記後側突底部には、後方へ突出して前記取付孔の周縁部の後側裏面に係合する後側係合部が設けられ、
前記前側係合部は、前記前側突底部における前記取付孔の内周面と対向する前側対向面からの、前方への突出寸法が、前記後側係合部の、前記後側突底部における前記取付孔の内周面と対向する後側対向面からの、後方への突出寸法よりも、小となるように形成されており、
前記ダミー体は、前記取付孔への取り付けにあたって、後方に傾斜した状態で、前記後側突底部が前記取付孔に挿入されて前記後側係合部が前記後側裏面に係合し、前記ダミー体が後方に傾斜した状態から起こされるようにして前記ステージ側に押圧されることで、前記前側突底部を含めて前記突底全体が前記取付孔に挿入されて前記前側係合部が前記前側裏面に係合可能となっていることを特徴とする、ダミー体。
【請求項６】
前記前側係合部は、前記取付孔の内周面に沿う周方向寸法が、前記後側係合部の、前記取付孔の内周面に沿う周方向寸法よりも小となるように形成されていることを特徴とする、請求項５に記載のダミー体。
【請求項７】
前記後側係合部と前記底壁との間の寸法は、前記前側係合部と前記底壁との間の寸法よりも大となっていることを特徴とする、請求項５または６に記載のダミー体。
【請求項８】
前記前側係合部は、縦断面において、前記前側対向面側の基端における接線が、前記前側対向面に対して鈍角となる方向を向くように形成されていることを特徴とする、請求項５ないし７のいずれか１項に記載のダミー体。
【請求項９】
前記突底は、前記取付孔に嵌合するように筒状に形成されて、その突底の前部部分が前記前側突底部となり、その突底の後部部分が前記後側突底部となることを特徴とする、請求項１ないし８のいずれか１項に記載のダミー体。
【請求項１０】
前記突底の左右の少なくとも一方には、前記突底を前記取付孔に対して回り止めすべく、前記取付孔の内周面の凹部に係合する回り止め凸部が設けられることを特徴とする、請求項９に記載のダミー体。
【請求項１１】
前記突底には、前記取付孔の内周面に押し当てられる突起が設けられていることを特徴とする、請求項９または１０に記載のダミー体。
【請求項１２】
前記突底は、上側の、前記取付孔と嵌合する上部突底と、下側の、下端側ほど径小となる先細形状の下部突底とを有することを特徴とする、請求項９ないし１１のいずれか１項に記載のダミー体。
【請求項１３】
前記ダミー体は、飲料のボトルを模した合成樹脂製のダミーボトルであって、
前記本体部は、胴部と上部部分とを有し、その上部部分に、ボトル飲み口側となる上端部に向かうにつれて径小となる傾斜部を備えることを特徴とする、請求項１ないし１２のいずれか１項に記載のダミー体。
【請求項１４】
前記胴部と前記突底とは一体成形されて第１部材を構成し、
前記傾斜部は、前記第１部材に着脱可能に取り付けられる第２部材に備わり、
その第２部材は、前記飲料の色を模した色に着色されていることを特徴とする、請求項１３に記載のダミー体。
【発明の詳細な説明】
【技術分野】
【０００１】
この発明は、自動販売機のステージに配備されるダミー体に関するものである。
【背景技術】
【０００２】
従来、飲料用の自動販売機のステージには、その飲料の容器を模したダミー体が陳列されていた。このダミー体の取り付けにあたっては、ダミー体を、縦軸回りに回動することで、ステージの取付孔に取り付けていた（例えば、特許文献１参照）。すなわち、ダミー体としてのダミー缶は、その下部に、取り付けのための突起を備えていた。そこで、ダミー缶の取り付けにあたっては、まず、この突起が、ステージにあけられた取付孔としての異形穴に差し込まれた。次に、ダミー缶が水平に回される（縦軸回りに回動される）ことで、突起が異形穴の周縁部の下側に回りこみ、これによって、ダミー缶がステージに取り付けられた。
【先行技術文献】
【特許文献】
【０００３】
【特許文献１】特開平１０−７９０７８号公報
【発明の概要】
【発明が解決しようとする課題】
【０００４】
ところで、前記従来のダミー缶においては、ステージへの取り付けにあたって、ダミー缶を縦軸回りに回動する際に、隣りのダミー缶が邪魔になった。そのため、その回動がし難く、ダミー缶の取り付けに手間がかかった。
【０００５】
この発明は、上記した従来の欠点を解決するためになされたものであり、その目的とするところは、ステージに簡単に取り付けることができるダミー体を提供することにある。
【課題を解決するための手段】
【０００６】
この発明に係るダミー体は、前記目的を達成するために、次の構成からなる。すなわち、
請求項１に記載の発明に係るダミー体は、自動販売機のステージに配備される、商品の容器または包装を模したダミー体である。このダミー体は、前記ステージ上に載せられる本体部と、前記本体部の底壁から下方に突出して前記ステージの取付孔に挿入される突底とを備える。この突底は、前記取付孔の前側に挿入される前側突底部と、前記取付孔の後側に挿入される後側突底部とを有する。そして、前記前側突底部には、前方へ突出して前記取付孔の周縁部の前側裏面に係合する前側係合部が設けられ、前記後側突底部には、後方へ突出して前記取付孔の周縁部の後側裏面に係合する後側係合部が設けられる。ここにおいて、前記後側係合部は、前記後側突底部における前記取付孔の内周面と対向する後側対向面からの、後方への突出寸法が、前記前側係合部の、前記前側突底部における前記取付孔の内周面と対向する前側対向面からの、前方への突出寸法よりも、小となるように形成されている。そこで、前記ダミー体は、前記取付孔への取り付けにあたって、前方に傾斜した状態で、前記前側突底部が前記取付孔に挿入されて前記前側係合部が前記前側裏面に係合し、前記ダミー体が前方に傾斜した状態から起こされるようにして前記ステージ側に押圧されることで、前記後側突底部を含めて前記突底全体が前記取付孔に挿入されて前記後側係合部が前記後側裏面に係合可能となっている。
【０００７】
このダミー体によると、ステージの取付孔に挿入される突底には、取付孔の周縁部の前側裏面に係合する前側係合部と、その前側係合部よりも突出寸法が小であって取付孔の周縁部の後側裏面に係合する後側係合部とが設けられている。そこで、ダミー体を取付孔に取り付けるには、ダミー体を前方に傾斜させて、前側係合部を取付孔の周縁部の前側裏面に係合させ、ダミー体を前方に傾斜した状態から起こすようにしてステージ側に押圧することで、後側係合部を取付孔の周縁部の後側裏面に係合させることができる。すなわち、ダミー体を前方に傾斜させることで、前側係合部は、容易に取付孔の周縁部の前側裏面に係合し、ダミー体を起こすようにしてステージ側に押圧することで、前側係合部よりも突出寸法が小さい後側係合部は、容易に取付孔の周縁部の後側裏面に係合する。そして、ダミー体を前方に傾斜した状態から起こすようにしてステージ側に押圧するには、ダミー体の上端部等を押さえながら後方に移動させればよく、隣に他のダミー体が配備されていても、その隣のダミー体に邪魔されることなく、その作業を行うことができる。そして、このように、ダミー体をステージに取り付けるにあたって、ダミー体を前方に傾斜した状態から起こすことで、ステージの後方に背板が迫っている場合であっても、その背板に邪魔されることなく、ダミー体の取付作業を行うことができる。
【０００８】
また、請求項２に記載の発明に係るダミー体のように、請求項１に記載のダミー体において、前記後側係合部は、前記取付孔の内周面に沿う周方向寸法が、前記前側係合部の、前記取付孔の内周面に沿う周方向寸法よりも小となるように形成されてもよい。
【０００９】
また、請求項３に記載の発明に係るダミー体のように、請求項１または２に記載のダミー体において、前記前側係合部と前記底壁との間の寸法は、前記後側係合部と前記底壁との間の寸法よりも大となってもよい。このように、前側係合部と底壁との間の寸法が大となることで、ダミー体を前方に傾斜させて前側係合部を取付孔の周縁部の前側裏面に係合させるにあたって、その係合を確実にすることができる。
【００１０】
また、請求項４に記載の発明に係るダミー体のように、請求項１ないし３のいずれか１項に記載のダミー体において、前記後側係合部は、縦断面において、前記後側対向面側の基端における接線が、前記後側対向面に対して鈍角となる方向を向くように形成されてもよい。これにより、ステージの取付孔に取り付けられたダミー体を、その取付孔から取り外す際に、容易に、ダミー体を前方に傾斜させて、後側係合部を取付孔の周縁部の後側裏面から外すことができる。
【００１１】
また、請求項５に記載の発明に係るダミー体は、自動販売機のステージに配備される、商品の容器または包装を模したダミー体である。このダミー体は、前記ステージ上に載せられる本体部と、前記本体部の底壁から下方に突出して前記ステージの取付孔に挿入される突底とを備える。この突底は、前記取付孔の前側に挿入される前側突底部と、前記取付孔の後側に挿入される後側突底部とを有する。そして、前記前側突底部には、前方へ突出して前記取付孔の周縁部の前側裏面に係合する前側係合部が設けられ、前記後側突底部には、後方へ突出して前記取付孔の周縁部の後側裏面に係合する後側係合部が設けられる。ここにおいて、前記前側係合部は、前記前側突底部における前記取付孔の内周面と対向する前側対向面からの、前方への突出寸法が、前記後側係合部の、前記後側突底部における前記取付孔の内周面と対向する後側対向面からの、後方への突出寸法よりも、小となるように形成されている。そこで、前記ダミー体は、前記取付孔への取り付けにあたって、後方に傾斜した状態で、前記後側突底部が前記取付孔に挿入されて前記後側係合部が前記後側裏面に係合し、前記ダミー体が後方に傾斜した状態から起こされるようにして前記ステージ側に押圧されることで、前記前側突底部を含めて前記突底全体が前記取付孔に挿入されて前記前側係合部が前記前側裏面に係合可能となっている。
【００１２】
このダミー体によると、ステージの取付孔に挿入される突底には、取付孔の周縁部の後側裏面に係合する後側係合部と、その後側係合部よりも突出寸法が小であって取付孔の周縁部の前側裏面に係合する前側係合部とが設けられている。そこで、ダミー体を取付孔に取り付けるには、ダミー体を後方に傾斜させて、後側係合部を取付孔の周縁部の後側裏面に係合させ、ダミー体を後方に傾斜した状態から起こすようにしてステージ側に押圧することで、前側係合部を取付孔の周縁部の前側裏面に係合させることができる。すなわち、ダミー体を後方に傾斜させることで、後側係合部は、容易に取付孔の周縁部の後側裏面に係合し、ダミー体を起こすようにしてステージ側に押圧することで、後側係合部よりも突出寸法が小さい前側係合部は、容易に取付孔の周縁部の前側裏面に係合する。そして、ダミー体を後方に傾斜した状態から起こすようにしてステージ側に押圧するには、ダミー体の上端部等を押さえながら前方に移動させればよく、隣に他のダミー体が配備されていても、その隣のダミー体に邪魔されることなく、その作業を行うことができる。そして、このように、ダミー体をステージに取り付けるにあたって、後方に傾斜して後側係合部が後側裏面に係合したダミー体を起こすことで、前側突底部とともに前側係合部が取付孔に入るのを目視することができ、これによって、前側係合部が前側裏面に間違いなく係合しダミー体がステージに確かに取り付けられたことを確認することができる。
【００１３】
また、請求項６に記載の発明に係るダミー体のように、請求項５に記載のダミー体において、前記前側係合部は、前記取付孔の内周面に沿う周方向寸法が、前記後側係合部の、前記取付孔の内周面に沿う周方向寸法よりも小となるように形成されてもよい。
【００１４】
また、請求項７に記載の発明に係るダミー体のように、請求項５または６に記載のダミー体において、前記後側係合部と前記底壁との間の寸法は、前記前側係合部と前記底壁との間の寸法よりも大となってもよい。このように、後側係合部と底壁との間の寸法が大となることで、ダミー体を後方に傾斜させて後側係合部を取付孔の周縁部の後側裏面に係合させるにあたって、その係合を確実にすることができる。
【００１５】
また、請求項８に記載の発明に係るダミー体のように、請求項５ないし７のいずれか１項に記載のダミー体において、前記前側係合部は、縦断面において、前記前側対向面側の基端における接線が、前記前側対向面に対して鈍角となる方向を向くように形成されてもよい。これにより、ステージの取付孔に取り付けられたダミー体を、その取付孔から取り外す際に、容易に、ダミー体を後方に傾斜させて、前側係合部を取付孔の周縁部の前側裏面から外すことができる。
【００１６】
また、請求項９に記載の発明に係るダミー体のように、請求項１ないし８のいずれか１項に記載のダミー体において、前記突底は、前記取付孔に嵌合するように筒状に形成されて、その突底の前部部分が前記前側突底部となり、その突底の後部部分が前記後側突底部となってもよい。
【００１７】
また、請求項１０に記載の発明に係るダミー体のように、請求項９に記載のダミー体において、前記突底の左右の少なくとも一方には、前記突底を前記取付孔に対して回り止めすべく、前記取付孔の内周面の凹部に係合する回り止め凸部が設けられてもよい。こうして、回り止め凸部により、突底が回り止めされることで、このダミー体は、縦軸回りに位置決めされる。
【００１８】
また、請求項１１に記載の発明に係るダミー体のように、請求項９または１０に記載のダミー体において、前記突底には、前記取付孔の内周面に押し当てられる突起が設けられてもよい。こうして、突起が取付孔の内周面に押し当てられることで、このダミー体の、取付孔に対するがたつきを抑えることができる。
【００１９】
また、請求項１２に記載の発明に係るダミー体のように、請求項９ないし１１のいずれか１項に記載のダミー体において、前記突底は、上側の、前記取付孔と嵌合する上部突底と、下側の、下端側ほど径小となる先細形状の下部突底とを有してもよい。こうして、下部突底を、先細形状とすることで、ダミー体をステージの取付孔に取り付けるにあたって、ダミー体を傾斜した状態から起こして突底全体を取付孔に挿入する際に、その挿入を容易にすることができる。
【００２０】
また、請求項１３に記載の発明に係るダミー体のように、請求項１ないし１２のいずれか１項に記載のダミー体において、前記ダミー体は、飲料のボトルを模した合成樹脂製のダミーボトルであって、前記本体部は、胴部と上部部分とを有し、その上部部分に、ボトル飲み口側となる上端部に向かうにつれて径小となる傾斜部を備えてもよい。これにより、ダミー体をステージに取り付けるにあたって、ボトル飲み口側となる上端部等を掴んで、その取付作業を行うことができる。
【００２１】
また、請求項１４に記載の発明に係るダミー体のように、請求項１３に記載のダミー体において、前記胴部と前記突底とは一体成形されて第１部材を構成し、前記傾斜部は、前記第１部材に着脱可能に取り付けられる第２部材に備わり、その第２部材は、前記飲料の色を模した色に着色されてもよい。
【発明の効果】
【００２２】
この発明に係るダミー体によれば、次の効果がある。
【００２３】
前方に傾斜して前側係合部が取付孔の周縁部の前側裏面に係合したダミー体に対し、後側係合部を取付孔の周縁部の後側裏面に係合させるにあたって、ダミー体を起こすようにステージ側に押圧することで、このダミー体をステージに簡単に取り付けることができる（請求項１ないし４に記載のダミー体）。
【００２４】
また、後方に傾斜して後側係合部が取付孔の周縁部の後側裏面に係合したダミー体に対し、前側係合部を取付孔の周縁部の前側裏面に係合させるにあたって、ダミー体を起こすようにステージ側に押圧することで、このダミー体をステージに簡単に取り付けることができる（請求項５ないし８に記載のダミー体）。
【図面の簡単な説明】
【００２５】
【図１】この発明の第１の実施の形態の、ダミー体の右側面図である。
【図２】同じく、図１の要部拡大図である。
【図３】同じく、ダミー体の背面図である。
【図４】同じく、ダミー体の拡大底面図である。
【図５】同じく、ステージの拡大平面図である。
【図６】同じく、ダミー体をステージに取り付ける過程を示す拡大右側面図である。
【図７】同じく、ダミー体をステージに取り付けた状態の拡大右側面図である。
【図８】同じく、ダミー体をステージに取り付けた状態の拡大底面図である。
【図９】この発明の第２の実施の形態の、ダミー体の右側面図である。
【図１０】同じく、図９の要部拡大図である。
【図１１】同じく、ダミー体の拡大底面図である。
【図１２】同じく、ダミー体をステージに取り付ける過程を示す拡大右側面図である。
【図１３】同じく、ダミー体をステージに取り付けた状態の拡大右側面図である。
【図１４】同じく、ダミー体をステージに取り付けた状態の拡大底面図である。
【図１５】この発明の他の実施の形態の、図４相当図である。
【発明を実施するための形態】
【００２６】
以下、この発明に係るダミー体を実施するための形態を図面に基づいて説明する。
【００２７】
図１〜図８は、本発明の第１の実施の形態を示す。図中符号１は、自動販売機のステージである。２は、このステージ１に配備される、商品の容器または包装を模したダミー体である。
【００２８】
ここで、ステージ１は、例えば、鉄板等の板材からなる。そして、ステージ１には、取付孔１ａがあけられている（図５参照）。この取付孔１ａは、基本形状が円形形状からなり、左右の位置に、取付孔１ａの内周面から窪むようにして、凹部１ｂ等が設けられている。
【００２９】
ダミー体２は、例えば中空状となっており、前記ステージ１上に載せられる本体部３と、その本体部３の底壁３ａから下方に突出してステージ１の取付孔１ａに挿入される突底４とを備える。この突底４は、取付孔１ａの前側に挿入される前側突底部４ａと、取付孔１ａの後側に挿入される後側突底部４ｂとを有する。そして、前側突底部４ａには、前方へ突出して取付孔１ａの周縁部の前側裏面１ｃに係合する前側係合部４ｃが設けられている。同様に、後側突底部４ｂには、後方へ突出して取付孔１ａの周縁部の後側裏面１ｄに係合する後側係合部４ｄが設けられている。
【００３０】
ここにおいて、後側係合部４ｄは、後側突底部４ｂにおける取付孔１ａの内周面と対向する後側対向面４ｆからの、後方への突出寸法Ｋ２が、前側係合部４ｃの、前側突底部４ａにおける取付孔１ａの内周面と対向する前側対向面４ｅからの、前方への突出寸法Ｋ１よりも、小となるように形成されている（図示実施の形態においては、前側係合部４ｃの突出寸法Ｋ１と、後側係合部４ｄの突出寸法Ｋ２との比は、例えば５対３である。図２参照）。そこで、ダミー体２は、ステージ１の取付孔１ａへの取り付けにあたって、前方に傾斜した状態で、前側突底部４ａが取付孔１ａに挿入されて前側係合部４ｃが前記前側裏面１ｃに係合し、ダミー体２が前方に傾斜した状態から起こされるようにしてステージ１側に押圧されることで、後側突底部４ｂを含めて突底４全体が取付孔１ａに挿入されて後側係合部４ｄが前記後側裏面１ｄに係合可能となっている（図６、図７参照）。
【００３１】
詳細には、突底４に設けられた前側係合部４ｃおよび後側係合部４ｄにあっては、後側係合部４ｄは、取付孔１ａの内周面に沿う周方向寸法Ｌ２が、前側係合部４ｃの、取付孔１ａの内周面に沿う周方向寸法Ｌ１よりも小となるように形成されている（図示実施の形態においては、前側係合部４ｃの周方向寸法Ｌ１と、後側係合部４ｄの周方向寸法Ｌ２との比は、例えば１３対５である。図４参照）。そして、前側係合部４ｃと底壁３ａとの間の寸法Ｍ１は、後側係合部４ｄと底壁３ａとの間の寸法Ｍ２よりも大となっている（図示実施の形態においては、前側係合部４ｃと底壁３ａとの間の寸法Ｍ１と、後側係合部４ｄと底壁３ａとの間の寸法Ｍ２との比は、例えば９対８である。図２参照）。また、後側係合部４ｂは、縦断面において、前記後側対向面４ｆ側の基端における接線Ｎ２が、その後側対向面４ｆに対して鈍角となる方向を向くように形成されている（図２参照）。
【００３２】
その一方で、突底４は、取付孔１ａに嵌合するように筒状、詳しくは、短円筒状に形成されて、その突底４の前部部分が前記前側突底部４ａとなり、その突底４の後部部分が前記後側突底部４ｂとなっている。そして、この突底４には、前記前側係合部４ｃおよび後側係合部４ｄの他に、その突底４の左右の少なくとも一方に（図示実施の形態においては、突底４の左右に）、突底４を取付孔１ａに対して回り止めすべく、取付孔１ａの内周面の凹部１ｂに係合する回り止め凸部４ｇが設けられている。
【００３３】
具体的には、ダミー体２は、飲料の容器としてのボトルを模したダミーボトルであって、前記本体部３は、その上部部分３ｂに、ボトル飲み口側となる上端部３ｃに向かうにつれて径小となる傾斜部３ｄを備える。
【００３４】
このダミー体２は、合成樹脂製であって、前記本体部３が、前記底壁３ａを有する胴部３ｅと、その上方の前記傾斜部３ｄを有する上部部分３ｂと、見本表示ラベル５とに分割されている。詳細には、胴部３ｅと前記突底４とは一体に形成されて第１部材６を構成する。
【００３５】
第１部材６は、胴部３ｅと突底４との内部が連通する筒形状をし、胴部３ｅは、上端が開口し、突底４は、下端が開放するように開口している（図２参照）。この第１部材６は、例えば、ポリカーボネート樹脂とかポリエステル樹脂等の合成樹脂製であって、ブロー成形により形成された無色透明体である。ここにおいて、胴部３ｅは、背面側に、掛止孔３ｆがあけられている。詳しくは、胴部３ｅは、背面側に、窪むようにして形成された平面部３ｇを有しており、この平面部３ｇに、前記掛止孔３ｆがあけられている。そして、胴部３ｅの上端には、内側に張り出すようにして掛止部３ｈが設けられている。
【００３６】
また、突底４は、上側の、取付孔１ａと嵌合する上部突底４０１と、下側の、下端側ほど径小となる先細形状の下部突底４０２とを有する。詳しくは、この下部突底４０２は、円弧を描くようにして先細に形成される。そこで、前記前側係合部４ｃと後側係合部４ｄとは、これら上部突底４０１と下部突底４０２との境界部分に設けられる。そして、前側係合部４ｃおよび後側係合部４ｄは、縦断面において、円弧状に突き出るように形成されている。
【００３７】
本体部３の上部部分３ｂは、第２部材７とキャップ８とから構成される。第２部材７は、前記傾斜部３ｄとその上方の飲み口部３ｉとからなる。詳しくは、第２部材７は、傾斜部３ｄと飲み口部３ｉとの内部が連通する筒形状をし、下端が開口している。この第２部材７は、例えば、ポリカーボネート樹脂とかポリエステル樹脂等の合成樹脂製であって、ブロー成形により形成される。そして、この第２部材７は、有色半透明体、有色透明体または有色不透明体であって、容器を通して見える飲料の色、例えば、オレンジ色、黄色、茶色、白色等を模した色に着色されている。そして、この第２部材７は、第１部材６とは別体であるため、種々の色の第２部材７に対して、同一種類の第１部材６を共通に用いることができる。なお、容器を通して見える飲料の色は、第２部材７全体に表わされなくとも、傾斜部３ｄに表わされればよい。
【００３８】
また、傾斜部３ｄが備わる第２部材７は、下端に、外側に突出するようにして被掛止部３ｊが設けられており、この被掛止部３ｊが、第１部材６の掛止部３ｈに掛け止められることで、その第２部材７は、第１部材６に着脱可能に取り付けられる。そして、前述したような着色された第２部材７が、第１部材６に着脱可能に取り付けられることで、第１部材６に対して、種々の色の第２部材７を取り替え交換することができ、これにより、ダミー体２は、様々な飲料の容器に対応することができる。また、第２部材７の飲み口部３ｉには、前記キャップ８が着脱可能に取り付けられる。すなわち、図示実施の形態においては、これら飲み口部３ｉとキャップ８とで、本体部３における前記上端部３ｃが構成される。なお、キャップ８は、飲み口部３ｉに、例えば螺合するようにして取り付けられるが、圧入あるいは嵌合するようにして取り付けられてもよく、また、第２部材７とキャップ８とが一体に形成されても構わない。
【００３９】
見本表示ラベル５は、湾曲あるいは屈曲可能であって、例えば、ポリエステルフィルム等の樹脂フィルムからなり、表面もしくは裏面に、商品の容器または包装と同様の文字や模様（図示省略）が印刷されている。この見本表示ラベル５は、図３に示すように、胴部３ｅの外周を覆うように配置されるラベル本体部５ａと、そのラベル本体部５ａの各端側に形成された被掛止片５ｂとを備えている。この被掛止片５ｂは、胴部３ｅの掛止孔３ｆに外側から差し入れられて、掛止孔３ｆの周縁部に掛け止められ、これにより、見本表示ラベル５は、胴部３ｅ（第１部材６）に着脱可能に取り付けられる。
【００４０】
次に、この第１の実施の形態におけるダミー体２の作用効果について説明する。このダミー体２によると、ステージ１の取付孔１ａに挿入される突底４には、取付孔１ａの周縁部の前側裏面１ｃに係合する前側係合部４ｃと、その前側係合部４ｃよりも突出寸法Ｋ２が小であって取付孔１ａの周縁部の後側裏面１ｄに係合する後側係合部４ｄとが設けられている。そこで、ダミー体２を取付孔１ａに取り付けるには、ダミー体２を前方に傾斜させて、前側係合部４ｃを取付孔１ａの周縁部の前側裏面１ｃに係合させる（図６参照）。そして、ダミー体２を前方に傾斜した状態から起こすようにしてステージ１側に押圧することで、後側係合部４ｄが取付孔１ａを通過するように例えば突底４が弾性変形する。このようにして、後側係合部４ｄが取付孔１ａを通過すると、前記弾性変形が戻り、これにより、後側係合部４ｄを取付孔１ａの周縁部の後側裏面１ｄに係合させることができる（図７、図８参照）。
【００４１】
すなわち、ダミー体２を前方に傾斜させることで、前側係合部４ｃは、容易に取付孔１ａの周縁部の前側裏面１ｃに係合し、ダミー体２を起こすようにしてステージ１側に押圧することで、前側係合部４ｃよりも突出寸法Ｋ２が小さい後側係合部４ｄは、容易に取付孔１ａの周縁部の後側裏面１ｄに係合する。そして、ダミー体２を前方に傾斜した状態から起こすようにしてステージ１側に押圧するには、ダミー体２の上端部３ｃ等を押さえながら後方に移動させればよく、隣に他のダミー体が配備されていても、その隣のダミー体に邪魔されることなく、その作業を行うことができる。つまり、このダミー体２によれば、前方に傾斜して前側係合部４ｃが取付孔１ａの周縁部の前側裏面１ｃに係合したダミー体２に対し、後側係合部４ｄを取付孔１ａの周縁部の後側裏面１ｄに係合させるにあたって、ダミー体２の上端部３ｃ等を押さえながら後方へ移動させるようにしてダミー体２を起こすことで、このダミー体２をステージ１に簡単に取り付けることができる。
【００４２】
また、このように、ダミー体２をステージ１に取り付けるにあたって、ダミー体２を前方に傾斜した状態から起こすことで、ステージ１の後方に背板が迫っている場合であっても、その背板に邪魔されることなく、ダミー体２の取付作業を行うことができる。
【００４３】
また、ダミー体２は、飲料のボトルを模したダミーボトルであって、本体部３は、上部部分３ｂに、ボトル飲み口側となる上端部３ｃに向かうにつれて径小となる傾斜部３ｄを備えている。このため、ダミー体２をステージ１に取り付けるにあたって、ボトル飲み口側となる上端部３ｃ等を掴んで、その取付作業を行うことができる。
【００４４】
また、突底４において、下部突底４０２を、先細形状とすることで、ダミー体２をステージ１の取付孔１ａに取り付けるにあたって、ダミー体２を前方に傾斜した状態から起こして突底４全体を取付孔１ａに挿入する際に、その挿入を容易にすることができる。
【００４５】
また、前側係合部４ｃと本体部３の底壁３ａとの間の寸法Ｍ１は、後側係合部４ｄと底壁３ａとの間の寸法Ｍ２よりも大となっている（図２参照）。このように、前側係合部４ｃと底壁３ａとの間の寸法Ｍ１が大となることで、ダミー体２を前方に傾斜させて前側係合部４ｃを取付孔１ａの周縁部の前側裏面１ｃに係合させるにあたって、その係合を確実にすることができる。
【００４６】
また、突底４の左右の少なくとも一方（図示実施の形態においては両方）には、回り止め凸部４ｇが設けられている。そこで、この回り止め凸部４ｇが、取付孔１ａの内周面の凹部１ｂに係合して、突底４が回り止めされることで、ダミー体２は、縦軸回りに位置決めされる（図８参照）。
【００４７】
また、突底４に設けられた後側係合部４ｄは、縦断面において、後側対向面４ｆ側の基端における接線Ｎ２が、後側対向面４ｆに対して鈍角となる方向を向くように形成されている（図２参照）。これにより、ステージ１の取付孔１ａに取り付けられたダミー体２を、その取付孔１ａから取り外す際に、容易に、ダミー体２を前方に傾斜させて、後側係合部４ｄを取付孔１ａの周縁部の後側裏面１ｄから外すことができる。
【００４８】
図９〜図１４は、本発明の第２の実施の形態を示す。この実施の形態は、第１の実施の形態とは、ダミー体２における前側係合部４ｃと後側係合部４ｄとの形状およびサイズが逆転するが、他は同様であり、以下に、同様の部位には同一の符号を付して、異なる部分を主に説明する。
【００４９】
前側係合部４ｃは、前側突底部４ａにおける取付孔１ａの内周面と対向する前側対向面４ｅからの、前方への突出寸法Ｋ１が、後側係合部４ｄの、後側突底部４ｂにおける取付孔１ａの内周面と対向する後側対向面４ｆからの、後方への突出寸法Ｋ２よりも、小となるように形成されている（図示実施の形態においては、前側係合部４ｃの突出寸法Ｋ１と、後側係合部４ｄの突出寸法Ｋ２との比は、例えば３対５である。図１０参照）。そこで、ダミー体２は、ステージ１の取付孔１ａへの取り付けにあたって、後方に傾斜した状態で、後側突底部４ｂが取付孔１ａに挿入されて後側係合部４ｄが取付孔１ａの周縁部の後側裏面１ｄに係合し、ダミー体２が後方に傾斜した状態から起こされるようにしてステージ１側に押圧されることで、前側突底部４ａを含めて突底４全体が取付孔１ａに挿入されて前側係合部４ｃが取付孔１ａの周縁部の前側裏面１ｃに係合可能となっている（図１２、図１３参照）。
【００５０】
詳細には、突底４に設けられた前側係合部４ｃおよび後側係合部４ｄにあっては、縦断面において、円弧状に突き出るように形成されている。そして、前側係合部４ｃは、取付孔１ａの内周面に沿う周方向寸法Ｌ１が、後側係合部４ｄの、取付孔１ａの内周面に沿う周方向寸法Ｌ２よりも小となるように形成されている（図示実施の形態においては、前側係合部４ｃの周方向寸法Ｌ１と、後側係合部４ｄの周方向寸法Ｌ２との比は、例えば５対１３である。図１１参照）。そして、後側係合部４ｄと底壁３ａとの間の寸法Ｍ２は、前側係合部４ｃと底壁３ａとの間の寸法Ｍ１よりも大となっている（図示実施の形態においては、前側係合部４ｃと底壁３ａとの間の寸法Ｍ１と、後側係合部４ｄと底壁３ａとの間の寸法Ｍ２との比は、例えば８対９である。図１０参照）。また、前側係合部４ｃは、縦断面において、前記前側対向面４ｅ側の基端における接線Ｎ１が、その前側対向面４ｅに対して鈍角となる方向を向くように形成されている（図１０参照）。
【００５１】
ところで、このダミー体２においては、ダミー体２を後方に傾斜させた際に、ステージ１の後方の背板と干渉しないために、その背板が充分後方に位置しているとか、ダミー体２を傾斜させる角度が小さいとか、ダミー体２の背が低い（例えば、２８０ｍｌ用のダミーボトル等）とかである必要がある。
【００５２】
次に、この第２の実施の形態においけるダミー体２の作用効果について説明する。このダミー体２によると、ステージ１の取付孔１ａに挿入される突底４には、取付孔１ａの周縁部の後側裏面１ｄに係合する後側係合部４ｄと、その後側係合部４ｄよりも突出寸法Ｋ１が小であって取付孔１ａの周縁部の前側裏面１ｃに係合する前側係合部４ｃとが設けられている。そこで、ダミー体２を取付孔１ａに取り付けるには、ダミー体２を後方に傾斜させて、後側係合部４ｄを取付孔１ａの周縁部の後側裏面１ｄに係合させる（図１２参照）。そして、ダミー体２を後方に傾斜した状態から起こすようにしてステージ１側に押圧することで、前側係合部４ｃが取付孔１ａを通過するように例えば突底４が弾性変形する。このようにして、前側係合部４ｃが取付孔１ａを通過すると、前記弾性変形が戻り、これにより、前側係合部４ｃを取付孔１ａの周縁部の前側裏面１ｃに係合させることができる（図１３、図１４参照）。
【００５３】
すなわち、ダミー体２を後方に傾斜させることで、後側係合部４ｄは、容易に取付孔１ａの周縁部の後側裏面１ｄに係合し、ダミー体２を起こすようにしてステージ１側に押圧することで、後側係合部４ｄよりも突出寸法Ｋ１が小さい前側係合部４ｃは、容易に取付孔１ａの周縁部の前側裏面１ｃに係合する。そして、ダミー体２を後方に傾斜した状態から起こすようにしてステージ１側に押圧するには、ダミー体２の上端部３ｃ等を押さえながら前方に移動させればよく、隣に他のダミー体が配備されていても、その隣のダミー体に邪魔されることなく、その作業を行うことができる。つまり、このダミー体２によれば、後方に傾斜して後側係合部４ｄが取付孔１ａの周縁部の後側裏面１ｄに係合したダミー体２に対し、前側係合部４ｃを取付孔１ａの周縁部の前側裏面１ｃに係合させるにあたって、ダミー体２の上端部３ｃ等を押さえながら前方へ移動させるようにしてダミー体２を起こすことで、このダミー体２をステージ１に簡単に取り付けることができる。
【００５４】
また、このように、ダミー体２をステージ１に取り付けるにあたって、後方に傾斜して後側係合部４ｄが後側裏面１ｄに係合したダミー体２を起こすことで、前側突底部４ａとともに前側係合部４ｃがステージ１の取付孔１ａに入るのを目視することができ、これによって、前側係合部４ｃが前側裏面１ｃに間違いなく係合しダミー体２がステージ１に確かに取り付けられたことを確認することができる。
【００５５】
また、ダミー体２は、飲料のボトルを模したダミーボトルであって、本体部３は、上部部分３ｂに、ボトル飲み口側となる上端部３ｃに向かうにつれて径小となる傾斜部３ｄを備えている。このため、ダミー体２をステージ１に取り付けるにあたって、ボトル飲み口側となる上端部３ｃ等を掴んで、その取付作業を行うことができる。
【００５６】
また、突底４において、下部突底４０２を、先細形状とすることで、ダミー体２をステージ１の取付孔１ａに取り付けるにあたって、ダミー体２を後方に傾斜した状態から起こして突底４全体を取付孔１ａに挿入する際に、その挿入を容易にすることができる。
【００５７】
また、後側係合部４ｄと本体部３の底壁３ａとの間の寸法Ｍ２は、前側係合部４ｃと底壁３ａとの間の寸法Ｍ１よりも大となっている（図１０参照）。このように、後側係合部４ｄと底壁３ａとの間の寸法Ｍ２が大となることで、ダミー体２を後方に傾斜させて後側係合部４ｄを取付孔１ａの周縁部の後側裏面１ｄに係合させるにあたって、その係合を確実にすることができる。
【００５８】
また、突底４の左右の少なくとも一方（図示実施の形態においては両方）には、回り止め凸部４ｇが設けられている。そこで、この回り止め凸部４ｇが、取付孔１ａの内周面の凹部１ｂに係合して、突底４が回り止めされることで、ダミー体２は、縦軸回りに位置決めされる（図１４参照）。
【００５９】
また、突底４に設けられた前側係合部４ｃは、縦断面において、前側対向面４ｅ側の基端における接線Ｎ１が、前側対向面４ｅに対して鈍角となる方向を向くように形成されている（図１０参照）。これにより、ステージ１の取付孔１ａに取り付けられたダミー体２を、その取付孔１ａから取り外す際に、容易に、ダミー体２を後方に傾斜させて、前側係合部４ｃを取付孔１ａの周縁部の前側裏面１ｃから外すことができる。
【００６０】
なお、本発明は、上述した実施の形態に限定されるわけではなく、その他種々の変更が可能である。例えば、ダミー体２は、飲料のボトルを模したものでなくとも、飲料とか飲食物の缶を模したものであってもよく、また、タバコ等の包装（包装容器あるいは包装袋）を模したものであってもよく、このように、各種商品の容器または包装を模したものであれば、どのようなものでもよい。
【００６１】
また、突底４には、ステージ１における取付孔１ａの内周面に押し当てられる突起４ｈが設けられてもよい（図１５参照）。ここで、図１５は、第１の実施の形態に示すダミー体２を例にして示したが、第２の実施の形態に示すダミー体２においても同様である。そして、このように、突起４ｈが取付孔１ａの内周面に押し当てられることで、このダミー体２の、取付孔１ａに対するがたつきを抑えることができ、このダミー体２をしっかりとステージ１に固定することができる。
【００６２】
また、突底４は、取付孔１ａと嵌合する上部突底４０１と、先細形状の下部突底４０２とを有するが、この下部突底４０２は、円弧を描くようにして先細に形成されなくとも、直線的に、つまりテーパ状に形成されることで先細となってもよい。また、この下部突底４０２は、全体が、上部突底４０１よりも径小となるように形成されてもよく、さらには、この下部突底４０２は、設けられなくともよい。
【００６３】
また、第１の実施の形態において、突底４における後側係合部４ｄを取付孔１ａの周縁部の後側裏面１ｄに係合させるにあたって、後側係合部４ｄが取付孔１ａを通過するために、突底４全体を弾性変形させる以外に、突底４の一部とか後側係合部４ｄのみを弾性変形させるような構造にしてもよい。同様に、第２の実施の形態において、突底４における前側係合部４ｃを取付孔１ａの周縁部の前側裏面１ｃに係合させるにあたって、前側係合部４ｃが取付孔１ａを通過するために、突底４全体を弾性変形させる以外に、突底４の一部とか前側係合部４ｃのみを弾性変形させるような構造にしてもよい。
【００６４】
また、突底４には、回り止め凸部４ｇが設けられているが、この回り止め凸部４ｇは、なくともよい。
【００６５】
また、突底４は、下端が、開放するように開口していなくとも、例えば環状に底を残すようにして孔があけられて開口していてもよく、また、閉塞された有底形状をしていてもよい。
【００６６】
また、突底４は、筒状に形成されなくとも、前側突底部４ａと後側突底部４ｂとからなっていてもよく、その形状は特に限定されない。
【００６７】
また、前側係合部４ｃの突出寸法Ｋ１と、後側係合部４ｄの突出寸法Ｋ２との比とか、前側係合部４ｃの周方向寸法Ｌ１と、後側係合部４ｄの周方向寸法Ｌ２との比とか、前側係合部４ｃと底壁３ａとの間の寸法Ｍ１と、後側係合部４ｄと底壁３ａとの間の寸法Ｍ２との比とかは、前述の数値に限定されるものではない。
【００６８】
また、第１の実施の形態において、後側係合部４ｄの周方向寸法Ｌ２は、前側係合部４ｃの周方向寸法Ｌ１よりも小とならなくとも、同じであっても、大となっていても構わない。同様に、第２の実施の形態において、前側係合部４ｃの周方向寸法Ｌ１は、後側係合部４ｄの周方向寸法Ｌ２よりも小とならなくとも、同じであっても、大となっていても構わない。
【００６９】
また、第１の実施の形態において、前側係合部４ｃと底壁３ａとの間の寸法Ｍ１は、後側係合部４ｄと底壁３ａとの間の寸法Ｍ２よりも大とならなくとも、同じであっても、小となっていてもよい。同様に、第２の実施の形態において、後側係合部４ｄと底壁３ａとの間の寸法Ｍ２は、前側係合部４ｃと底壁３ａとの間の寸法Ｍ１よりも大とならなくとも、同じであっても、小となっていてもよい。
【００７０】
また、第１の実施の形態において、後側係合部４ｄは、縦断面において、後側対向面４ｆ側の基端における接線Ｎ２が、後側対向面４ｆに対して鈍角となる方向を向くように形成されているが、鈍角以外の方向を向くように形成されてもよい。同様に、第２の実施の形態において、前側係合部４ｃは、縦断面において、前側対向面４ｅ側の基端における接線Ｎ１が、前側対向面４ｅに対して鈍角となる方向を向くように形成されているが、鈍角以外の方向を向くように形成されてもよい。
【００７１】
また、第１部材６とか第２部材７は、ブロー成形により形成されなくとも、例えば射出成形により形成されてもよい。
【００７２】
また、第１部材６の胴部３ｅには、商品の容器または包装と同様の文字や模様が印刷された見本表示ラベル５が取り付けられるが、この文字や模様を直接第１部材６に印刷することで、見本表示ラベル５を無くしてもよい。
【００７３】
また、第１部材６の部分と第２部材７の部分とは別体でなくとも、一体に形成されてもよく、さらには、第１部材６の部分と第２部材７の部分とキャップ８の部分とが一体に形成されてもよい。
【符号の説明】
【００７４】
１  ステージ
１ａ  取付孔
１ｂ  凹部
１ｃ  前側裏面
１ｄ  後側裏面
２  ダミー体
３  本体部
３ａ  底壁
３ｂ  上部部分
３ｃ  上端部
３ｄ  傾斜部
３ｅ  胴部
４  突底
４ａ  前側突底部
４ｂ  後側突底部
４ｃ  前側係合部
４ｄ  後側係合部
４ｅ  前側対向面
４ｆ  後側対向面
４ｇ  回り止め凸部
４ｈ  突起
４０１  上部突底
４０２  下部突底
６  第１部材
７  第２部材
Ｋ１  前側係合部の突出寸法
Ｋ２  後側係合部の突出寸法
Ｌ１  前側係合部の周方向寸法
Ｌ２  後側係合部の周方向寸法
Ｍ１  前側係合部と底壁との間の寸法
Ｍ２  後側係合部と底壁との間の寸法
Ｎ１  接線
Ｎ２  接線
【図１】
2012048680.tif 000003
【図２】
2012048680.tif 000004
【図３】
2012048680.tif 000005
【図４】
2012048680.tif 000006
【図５】
2012048680.tif 000007
【図６】
2012048680.tif 000008
【図７】
2012048680.tif 000009
【図８】
2012048680.tif 000010
【図９】
2012048680.tif 000011
【図１０】
2012048680.tif 000012
【図１１】
2012048680.tif 000013
【図１２】
2012048680.tif 000014
【図１３】
2012048680.tif 000015
【図１４】
2012048680.tif 000016
【図１５】
2012048680.tif 000017